(57)【要約】【課題】消費者が、複雑なカロリー計算を自分で行わなくても、その食品のカロリー情報を容易に得ること。【解決手段】本発明のカロリー計算システムによれば、食品のカロリー計算を行うカロリー計算ホームページにアクセスするためのアクセス情報とこの食品の食品情報とを記憶し、食品のパッケージ１０に取り付けられた記憶体１２に記憶されたアクセス情報と食品情報とを読み取るリーダ２４と、リーダ２４によって読み取られたアクセス情報に基づいてカロリー計算ホームページにアクセスした携帯電話２２から食品情報が送信されると、送信された食品情報に基づいてこの食品のカロリー計算を行うカロリー計算サーバ２０と、カロリー計算サーバ２０によってなされたカロリー計算結果を携帯電話１１に返信し、携帯電話２２から表示させる結果返信手段とを備えている。【選択図】　図１
2004054609.tif 000002
【特許請求の範囲】
【請求項１】
食品のパッケージ自体に、前記食品のカロリー計算を行うカロリー計算ホームページにアクセスするためのアクセス情報とこの食品の食品情報とを記憶した記憶体を備えた食品のパッケージ。
【請求項２】
食品のパッケージ自体に、前記食品を用いた料理のレシピを提供するレシピ提供ホームページにアクセスするためのアクセス情報とこの食品の食品情報とを記憶した記憶体を備えた食品のパッケージ。
【請求項３】
請求項１または請求項２に記載の食品のパッケージにおいて、
前記記憶体としてバーコードまたはＩＣタグが取り付けられた食品のパッケージ。
【請求項４】
食品のパッケージ自体に、前記食品のカロリー計算を行うカロリー計算ホームページにアクセスするためのアクセス情報とこの食品の食品情報とを記憶した記憶体を備えておき、
前記記憶体に記憶されたアクセス情報および食品情報を読取手段によって読み取り、
前記読取手段によって読み取られたアクセス情報に基づいて、携帯端末を用いて前記カロリー計算ホームページにアクセスし、前記食品情報に基づいて前記カロリー計算ホームページによってなされたカロリー計算結果を前記携帯端末から表示するようにしたカロリー計算方法。
【請求項５】
食品のカロリー計算を行うカロリー計算ホームページにアクセスするためのアクセス情報とこの食品の食品情報とを記憶し、前記食品のパッケージに取り付けられた記憶体に記憶されたアクセス情報と食品情報とを読み取る読取手段と、
前記読取手段によって読み取られたアクセス情報に基づいて前記カロリー計算ホームページにアクセスした携帯端末から前記食品情報が送信されると、前記送信された食品情報に基づいてこの食品のカロリー計算を行うカロリー計算手段と、
前記カロリー計算手段によってなされたカロリー計算結果を前記携帯端末に返信し、前記携帯端末から表示させる結果返信手段と
を備えたカロリー計算システム。
【請求項６】
請求項５に記載のカロリー計算システムにおいて、
前記記憶体とは、バーコードまたはＩＣタグであって、
前記記憶体がバーコードの場合には、前記読取手段をバーコードリーダとし、前記記憶体がＩＣタグの場合には、前記読取手段をＩＣタグリーダとしたカロリー計算システム。
【請求項７】
食品のパッケージ自体に、前記食品を用いた料理のレシピを提供するレシピ提供ホームページにアクセスするためのアクセス情報とこの食品の食品情報とを記憶した記憶体を備えておき、
前記記憶体に記憶されたアクセス情報および食品情報を読取手段によって読み取り、
前記読取手段によって読み取られたアクセス情報に基づいて、携帯端末を用いて前記レシピ提供ホームページにアクセスし、前記食品情報に基づいて前記レシピ提供ホームページから提供されたレシピを前記携帯端末から表示するようにしたレシピ提供方法。
【請求項８】
食品を用いた料理のレシピを提供するレシピ提供ホームページにアクセスするためのアクセス情報とこの食品の食品情報とを記憶し、前記食品のパッケージに取り付けられた記憶体に記憶されたアクセス情報と食品情報とを読み取る読取手段と、
前記レシピを食品毎に分類して予め格納したレシピデータベースと、
前記読取手段によって読み取られたアクセス情報に基づいて前記レシピ提供ホームページにアクセスした携帯端末から前記食品情報が送信されると、前記送信された食品情報に基づいてこの食品のレシピを前記レシピデータベースから検索するレシピ検索手段と、
前記レシピ検索手段によって検索されたレシピを前記携帯端末に返信し、前記携帯端末から表示させる結果返信手段と
を備えたレシピ提供システム。
【請求項９】
請求項８に記載のレシピ提供システムにおいて、
前記記憶体とは、バーコードまたはＩＣタグであって、
前記記憶体がバーコードの場合には、前記読取手段をバーコードリーダとし、前記記憶体がＩＣタグの場合には、前記読取手段をＩＣタグリーダとしたレシピ提供システム。
【発明の詳細な説明】
【０００１】
【発明の属する技術分野】
本発明は、食品のパッケージ、食品に関するレシピを提供するレシピ提供システムおよびレシピ提供方法、食品のカロリー計算を行うカロリー計算方法およびカロリー計算システムに関するものである。
【０００２】
【従来の技術】
国民の食生活は豊かになった。テレビ番組や、雑誌を見回しても料理関係の話題に満ちあふれている。国民総グルメ化現象と言っても過言ではないほどである。
【０００３】
テレビ番組や料理雑誌では、新しいレシピが頻繁に紹介されている。大多数の人は、聞き流したり、見流しているだけであるが、主婦や、料理関係の職業の人、料理に興味のある人は、テレビ番組を録画したり、あるいは雑誌を切り抜いたりして、レシピを保存している。
【０００４】
その一方で、肥満、成人病、コレステロール障害、癌、あるいは糖尿病など、食生活の変化に伴う新たな病気が蔓延し、自然食や、栄養バランスの重要性も同時に認識されている。そこで、単に美味しいものを食べるのみならず、自分の体調を考慮し、カロリー計算を行い、バランスのとれた食生活を維持することも非常に重要である。
【０００５】
【発明が解決しようとする課題】
しかしながら、このように取得カロリーを考慮しながら美味しい料理を食べるのは、はなはだ容易なことではない。
【０００６】
まず、美味しい料理を作る方の問題であるが、これだけレシピに関する情報が巷に溢れていると、逆に、ある料理を作ってみたいと思ってレシピを探しても、なかなか探し当てられないことが多い。
【０００７】
テレビ番組などは、録画してもしっぱなしということがほとんどであり、まず、一体どのテープに録画したのかを探し出さねばならない。更に、テープを探し当てても、紹介されたシーンを検索するのもはなはだ面倒である。
【０００８】
料理雑誌にしても、様々な雑誌を購入していたり、あるいは過去の雑誌を保存している場合には、いざその料理を作りたいと思っても、そのレシピが書かれていた雑誌が一体何であったか、いつ発行されたものか、はたまたどこに保存していたかを思い出すだけでも容易ではない。
【０００９】
このように、日頃からまめにレシピを整理し、きちんと管理していなければいざというときに役に立たないという問題がある。
【００１０】
一方、カロリー計算についても、まずその食品の栄養成分を把握せねばならないが、栄養成分を知ろうとすると、書物等をめくって調べなくてはならず、大変な手間がかかるという問題がある。また、その食品が糖尿病、肝臓病、腎臓病等にどのような影響をもたらすものかを知ろうとしても難しい。
【００１１】
レシピや栄養成分をパッケージ自体に表示している食品も中にはあるが、パッケージに表示できるスペースは限られており、十分な情報を表示することはできない。
【００１２】
本発明はこのような事情に鑑みてなされたものであり、その第１の目的は、食品のパッケージ自体に、食品のカロリー計算を行うカロリー計算ホームページにアクセスするためのアクセス情報とこの食品の食品情報とを記憶した記憶体を備えておき、消費者が、記憶体に記憶されたアドレス情報にしたがってカロリー計算ホームページにアクセスし、その食品のカロリー情報を取得することにより、消費者は、複雑なカロリー計算を自分で行わなくても、その食品のカロリー情報を容易に得ることが可能な食品のパッケージ、カロリー計算方法、およびカロリー計算システムを提供することにある。
【００１３】
またその第２の目的は、食品のパッケージ自体に、その食品を用いた料理のレシピを提供するレシピ提供ホームページにアクセスするためのアクセス情報とこの食品の食品情報とを記憶した記憶体を備えておき、消費者が、記憶体に記憶されたアドレス情報にしたがってレシピ提供ホームページにアクセスし、その食品を用いた料理のレシピ情報を取得することにより、消費者は、自分でレシピを管理しなくても、その食品を用いた料理のレシピを容易に得ることが可能な食品のパッケージ、レシピ提供方法、およびレシピ提供システムを提供することにある。
【００１４】
【課題を解決するための手段】
上記の目的を達成するために、本発明では、以下のような手段を講じる。
【００１５】
すなわち、請求項１の発明の食品のパッケージは、上記第１の目的を達成するために、食品のパッケージ自体に、食品のカロリー計算を行うカロリー計算ホームページにアクセスするためのアクセス情報とこの食品の食品情報とを記憶した記憶体を備えている。
【００１６】
従って、請求項１の発明の食品のパッケージにおいては、以上のような手段を講じることにより、消費者は、複雑なカロリー計算を自分で行わなくても、食品に関するカロリー情報を得ることができる。
【００１７】
請求項２の発明の食品のパッケージは、上記第２の目的を達成するために、食品のパッケージ自体に、食品を用いた料理のレシピを提供するレシピ提供ホームページにアクセスするためのアクセス情報とこの食品の食品情報とを記憶した記憶体を備えている。
【００１８】
従って、請求項２の発明の食品のパッケージにおいては、以上のような手段を講じることにより、消費者は、レシピ提供ホームページから、様々なレシピを取得することができる。また、提供側としては、レシピ提供ホームページに新たなレシピを追加して格納させることにより、常に最新のレシピを提供することができる。
【００１９】
請求項３の発明は、上記第１または第２の目的を達成するために、請求項１または請求項２の発明の食品のパッケージにおいて、記憶体としてバーコードまたはＩＣタグが取り付けられている。
【００２０】
従って、請求項３の発明の食品のパッケージにおいては、以上のような手段を講じることにより、消費者は、パッケージ自体に備えられたバーコードまたはＩＣタグに記憶されたアクセス情報を読み取ることによって、所定のホームページにアクセスし、カロリー情報やレシピを得ることができる。
【００２１】
請求項４の発明のカロリー計算方法は、上記第１の目的を達成するために、食品のパッケージ自体に、食品のカロリー計算を行うカロリー計算ホームページにアクセスするためのアクセス情報とこの食品の食品情報とを記憶した記憶体を備えておき、記憶体に記憶されたアクセス情報および食品情報を読取手段によって読み取り、読取手段によって読み取られたアクセス情報に基づいて、携帯端末を用いてカロリー計算ホームページにアクセスし、食品情報に基づいてカロリー計算ホームページによってなされたカロリー計算結果を携帯端末から表示するようにした。
【００２２】
従って、請求項４の発明のカロリー計算方法においては、以上のような手段を講じることにより、消費者は、複雑なカロリー計算を自分で行わなくても、食品に関するカロリー情報を、カロリー計算ホームページから得ることができる。また、カロリー計算ホームページへのアクセスは、パッケージに備えられた記憶体に記憶されたアクセス情報を読み取ることによって確実に行うことができる。
【００２３】
請求項５の発明のカロリー計算システムは、上記第１の目的を達成するために、食品のカロリー計算を行うカロリー計算ホームページにアクセスするためのアクセス情報とこの食品の食品情報とを記憶し、食品のパッケージに取り付けられた記憶体に記憶されたアクセス情報と食品情報とを読み取る読取手段と、読取手段によって読み取られたアクセス情報に基づいてカロリー計算ホームページにアクセスした携帯端末から食品情報が送信されると、送信された食品情報に基づいてこの食品のカロリー計算を行うカロリー計算手段と、カロリー計算手段によってなされたカロリー計算結果を携帯端末に返信し、携帯端末から表示させる結果返信手段とを備えている。
【００２４】
従って、請求項５の発明のカロリー計算システムにおいては、以上のような手段を講じることにより、消費者は、複雑なカロリー計算を自分で行わなくても、食品に関するカロリー情報を、カロリー計算ホームページから得ることができる。また、カロリー計算ホームページへのアクセスは、パッケージに備えられた記憶体に記憶されたアクセス情報を読み取ることによって確実に行うことができる。
【００２５】
請求項６の発明は、上記第１の目的を達成するために、請求項５の発明のカロリー計算システムにおいて、記憶体とは、バーコードまたはＩＣタグであって、記憶体がバーコードの場合には、読取手段をバーコードリーダとし、記憶体がＩＣタグの場合には、読取手段をＩＣタグリーダとしている。
【００２６】
従って、請求項６の発明のカロリー計算システムにおいては、以上のような手段を講じることにより、消費者は、複雑なカロリー計算を自分で行わなくても、食品に関するカロリー情報を、カロリー計算ホームページから得ることができる。また、カロリー計算ホームページへのアクセスは、パッケージに備えられたバーコードまたはＩＣタグに記憶されたアクセス情報を読み取ることによって確実に行うことができる。
【００２７】
請求項７の発明のレシピ提供方法は、上記第２の目的を達成するために、食品のパッケージ自体に、食品を用いた料理のレシピを提供するレシピ提供ホームページにアクセスするためのアクセス情報とこの食品の食品情報とを記憶した記憶体を備えておき、記憶体に記憶されたアクセス情報および食品情報を読取手段によって読み取り、読取手段によって読み取られたアクセス情報に基づいて、携帯端末を用いてレシピ提供ホームページにアクセスし、食品情報に基づいてレシピ提供ホームページから提供されたレシピを携帯端末から表示する。
【００２８】
従って、請求項７の発明のレシピ提供方法においては、以上のような手段を講じることにより、消費者は、消費者は、レシピ提供ホームページから、様々なレシピを取得することができる。また、提供側は、レシピ提供ホームページに新たなレシピを追加して格納させることにより、常に最新のレシピを提供することができる。
【００２９】
請求項８の発明のレシピ提供システムは、上記第２の目的を達成するために、食品を用いた料理のレシピを提供するレシピ提供ホームページにアクセスするためのアクセス情報とこの食品の食品情報とを記憶し、食品のパッケージに取り付けられた記憶体に記憶されたアクセス情報と食品情報とを読み取る読取手段と、レシピを食品毎に分類して予め格納したレシピデータベースと、読取手段によって読み取られたアクセス情報に基づいて、携帯端末がレシピ提供ホームページにアクセスした携帯端末から食品情報が送信されると、送信された食品情報に基づいてこの食品のレシピをレシピデータベースから検索するレシピ検索手段と、レシピ検索手段によって検索されたレシピを携帯端末に返信し、携帯端末から表示させる結果返信手段とを備えている。
【００３０】
従って、請求項８の発明のレシピ提供システムにおいては、以上のような手段を講じることにより、消費者は、消費者は、レシピ提供ホームページから、様々なレシピを取得することができる。また、提供側は、レシピ提供ホームページに新たなレシピを追加して格納させることにより、常に最新のレシピを提供することができる。
【００３１】
請求項９の発明は、上記第２の目的を達成するために、請求項８の発明のレシピ提供システムにおいて、記憶体とは、バーコードまたはＩＣタグであって、記憶体がバーコードの場合には、読取手段をバーコードリーダとし、記憶体がＩＣタグの場合には、読取手段をＩＣタグリーダとしている。
【００３２】
従って、請求項９の発明のレシピ提供システムにおいては、以上のような手段を講じることにより、消費者は、消費者は、レシピ提供ホームページから、様々なレシピを取得することができる。また、提供側は、レシピ提供ホームページに新たなレシピを追加して格納させることにより、常に最新のレシピを提供することができる。また、レシピ提供ホームページへのアクセスは、パッケージに備えられたバーコードまたはＩＣタグに記憶されたアクセス情報を読み取ることによって確実に行うことができる。
【００３３】
【発明の実施の形態】
以下に、本発明の実施の形態について図面を参照しながら説明する。
【００３４】
本発明の実施の形態を図１から図７を用いて説明する。
【００３５】
図１は、本発明の実施の形態に係るレシピ提供方法およびカロリー計算方法を適用したレシピ提供・カロリー計算システムの一例を示す概念図である。
【００３６】
すなわち、本発明の実施の形態に係るレシピ提供方法およびカロリー計算方法を適用したレシピ提供・カロリー計算システムは、インターネット１６に接続可能な変換サーバ１８と、レシピ提供・カロリー計算サーバ２０と、携帯電話２２と、携帯電話２２に接続されたリーダ２４と、レシピ提供・カロリー計算サーバ２０に接続されたレシピデータベース２６およびカロリー計算用データベース２７とから構成している。
【００３７】
図１にその構成を示すようなネットワークシステムは、イーサネット等のＬＡＮ、あるいは公衆回線や専用回線を介して複数のＬＡＮが接続されるＷＡＮ等からなる。ＬＡＮの場合には、必要に応じてルータを介した多数のサブネットから構成される。また、ＷＡＮの場合には、公衆回線に接続するためのファイアウォール等を適宜備えているが、ここではその図示及び詳細説明を省略する。
【００３８】
図２は、本発明の実施の形態に係る食品のパッケージの一例を示す概念図である。
【００３９】
すなわち、本発明の実施の形態では、図２（ａ）に示す通りシリアル食品等のパッケージ１０ａに、図２（ｂ）に示す通りスナック菓子、野菜、あるいは果物等の袋１０ｂに、図２（ｃ）に示す通りガム等の包装紙１０ｃに、図２（ｄ）に示す通り魚や肉などの生鮮食料品のパック１０ｄに、記憶体１２を貼り付けることによって取り付けている。
【００４０】
この記憶体１２は、変換サーバ１８およびレシピ提供・カロリー計算サーバ２０にアクセスするためのアクセス情報、および食品情報を記憶した例えばバーコード、あるいはＩＣタグである。食品情報とは、その食品の名称や、食材の名称である。例えば、牛肉、鶏肉、リンゴ、みかん、白菜など食材そのものの名称であったり、○○ラーメン、△△ヌードル、××ビールなどといった商品固有の名称であってもよい。
【００４１】
消費者は、図２に示す様に、様々な形態で販売されている食品を購入すると、リーダ２４によって、記憶体１２に記憶されているアクセス情報および食品情報を読み取り、携帯電話２２に出力する。なお、リーダ２４とは、記憶体１２にバーコードやマイクロバーコードが用いられた場合には、バーコードリーダであり、記憶体１２にＩＣタグが用いられた場合には、ＩＣタグリーダである。
【００４２】
携帯電話２２は、リーダ２４から出力されたアクセス情報にしたがって、インターネット１６を介してまず変換サーバ１８にアクセスする。変換サーバ１８は、リーダ２４から出力されたアクセス情報と、それに対応するＵＲＬとを１対１で表した対応データテーブルを備えている。
【００４３】
図３に、対応データテーブルのデータ構成例を示す。そして、変換サーバ１８では、このような対応データテーブルを参照することによって、アクセス情報に対応するＵＲＬに基づいて、アクセス情報で指定されたレシピ提供・カロリー計算サーバ２０に携帯電話２２をアクセスさせる。
【００４４】
レシピ提供・カロリー計算サーバ２０は、レシピ提供・カロリー計算ホームページを携帯電話２２側に提供しており、このレシピ提供・カロリー計算ホームページによってアクセスしてきた携帯電話２２とインターネット１６を介した情報授受を行い、食品のカロリー計算を行いその計算結果を携帯電話２２に提供したり、料理のレシピを携帯電話２２に提供する。このようなレシピ提供・カロリー計算ホームページは、食品メーカが自己のサーバに備えている場合、同業の食品メーカによる共同のサーバに備えている場合、あるいはレシピ提供とカロリー計算とをそれぞれ別のサーバに備えている場合等様々な運営形態が考えられるが、図１では、代表的に１つのレシピ提供・カロリー計算サーバ２０のみを表し、このレシピ提供・カロリー計算サーバ２０がレシピ提供・カロリー計算ホームページを備えている場合を示している。
【００４５】
レシピ提供・カロリー計算サーバ２０は、アクセスしてきた携帯電話２２に対して選択画面を表示させ、食品に関する料理のレシピを提供するのか、あるいはカロリー計算をするのかいずれかの選択を促す。
【００４６】
これに対して、携帯電話２２からレシピ提供の選択入力があった場合には、レシピ提供・カロリー計算サーバ２０は、図４にその一例を示すようなレシピ選択テーブルを、インターネット１６を介して携帯電話２２に返信し、携帯電話２２の画面から表示させる。
【００４７】
このレシピ選択テーブルは、図４にその一例を示すように、料理種別ａ、ジャンルｂ、調理法ｃ、用途ｄ、オプションｅ毎に選択肢が設けられており、消費者は、携帯電話２２を操作することによって、料理種別ａ、ジャンルｂ、調理法ｃ、用途ｄ、オプションｅのそれぞれから、所望の選択項目を選択し、選択信号を送信する。
【００４８】
レシピ提供・カロリー計算サーバ２０は、携帯電話２２から選択信号が送信されると、この選択信号に基づいて、該当するレシピをレシピデータベース２６から検索し、検索結果を携帯電話２２に返信し、携帯電話２２の画面から表示させる。図５は、このように携帯電話２２の画面から表示されたレシピの一例を示す模式図である。
【００４９】
一方、レシピ提供・カロリー計算サーバ２０は、携帯電話２２からカロリー計算の選択入力があった場合には、送信された食品情報に基づいて、カロリー計算用データベース２７に格納されたカロリーテーブルを用いて、対応する食品のカロリー計算を行う。図６は、カロリーテーブルの一例を示す模式図であって、各食品情報（Ａ、Ｂ、Ｃ、・・）１００ｇ毎の熱量、脂質、コレステロール、炭水化物、食物繊維、カルシウム、マグネシウム、鉄分、塩分、ビタミンＡ、ビタミンＢ、ビタミンＣ、ビタミンＤ、ビタミンＥ等の構成量を予め格納している。そして、レシピ提供・カロリー計算サーバ２０は、このようなカロリーテーブルを用いて該当食品のカロリー計算を行い、計算結果をインターネット１６を介して携帯電話２２に返信し、携帯電話２２の画面から表示させる。
【００５０】
このように、一旦変換サーバ１８を介してから、所定のレシピ提供・カロリー計算サーバ２０に携帯電話２２をアクセスさせるようにすることによって、記憶体１２の記憶情報を減らすことができ、コスト削減を図ることができるようにしている。また、レシピ提供・カロリー計算サーバ２０のＵＲＬが変更になった場合であっても、変換サーバ１８に備えられている対応データテーブルの内容を更新することによって、容易に対応することができるようにしている。あるいは、食品の種類や商品名毎に異なるアドレス情報を使用することによって、食品情報を記憶体１２に記憶させる必要が無くなる。
【００５１】
次に、以上のように構成した本発明の実施の形態に係るレシピ提供方法およびカロリー計算方法を適用したレシピ提供・カロリー計算システムの動作について、図７に示すフローチャートを用いて説明する。
【００５２】
まず、消費者が、購入した食品についてのカロリー計算あるいはこの食品を使った料理のレシピの提供を要求する場合には、リーダ２４によって、記憶体１２に記憶されているアクセス情報および食品情報を読み取る（Ｓ１）。リーダ２４によって読み取られたアクセス情報および食品情報は、携帯電話２２へ出力される（Ｓ２）。
【００５３】
携帯電話２２は、リーダ２４から出力されたアクセス情報にしたがって、インターネット１６を介してまず変換サーバ１８にアクセスし、アクセス情報を送信する（Ｓ３）。変換サーバ１８では、携帯電話２２からアクセス情報が送信されると、対応データテーブルが参照され、アクセス情報に対応するＵＲＬに基づいて、対応するレシピ提供・カロリー計算サーバ２０が選択される。そして、この選択されたレシピ提供・カロリー計算サーバ２０に携帯電話２２をアクセスさせる（Ｓ４）。
【００５４】
携帯電話２２がこのようにしてレシピ提供・カロリー計算サーバ２０にアクセスすると、その画面上に、食品に関する料理のレシピを提供するのか、あるいはカロリー計算をするのかいずれかの選択を促す選択画面が表示される（Ｓ５）。
【００５５】
これに対して、消費者は、携帯電話２２から選択情報を送信する。まず、携帯電話２２からレシピ提供の選択入力がなされた場合（Ｓ６：レシピ）には、レシピ提供・カロリー計算サーバ２０によって、図４にその一例が示されるようなレシピ選択テーブルが、携帯電話２２の画面から表示される（Ｓ７）。
【００５６】
これに対して消費者が、携帯電話２２を操作することによって、料理種別ａ、ジャンルｂ、調理法ｃ、用途ｄ、オプションｅのそれぞれから、所望の選択項目を選択し、選択信号を送信する（Ｓ８）。レシピ提供・カロリー計算サーバ２０では、選択信号が送信されると、該当するレシピがレシピデータベース２６から検索され、その検索結果が携帯電話２２へと返信され、図５にその一例を示すように携帯電話２２の画面から表示される（Ｓ９）。
【００５７】
これによって、消費者は、購入した食品を用いた料理のレシピ情報を取得することができる。
【００５８】
一方、携帯電話２２からカロリー計算の選択入力がなされた場合（Ｓ６：カロリー）には、レシピ提供・カロリー計算サーバ２０において、送信された食品情報に基づいて、カロリー計算用データベース２７に格納されたカロリー計算用データが用いられ、この食品のカロリー計算が行われる（Ｓ１０）。そして、計算結果がインターネット１６を介して携帯電話２２へと返信され、携帯電話２２の画面から表示される（Ｓ１１）。
【００５９】
上述したように、本発明の実施の形態に係るレシピ提供方法およびカロリー計算方法を適用したレシピ提供・カロリー計算システムにおいては、上記のような作用により、消費者は、複雑なカロリー計算を自分で行わなくても、レシピ提供・カロリー計算サーバ２０から食品に関するカロリー情報を得ることができる。
【００６０】
また、消費者は、レシピ提供・カロリー計算サーバ２０から様々なレシピの情報を取得することができる。更に、レシピ提供・カロリー計算ホームページの提供側が、レシピデータベース２６に新たなレシピを追加して格納させることにより、常に最新のレシピを提供することができる。
【００６１】
なお、携帯電話２２からレシピ提供・カロリー計算サーバ２０へのアクセスは、一旦変換サーバ１８へなされ、そこで対応データテーブルが参照され、所定のレシピ提供・カロリー計算サーバ２０にアクセスされることによってなされる。これによって、記憶体１２の記憶情報を減らすことができ、コスト削減を図ることができる。また、レシピ提供・カロリー計算サーバ２０のＵＲＬが変更になった場合であっても、変換サーバ１８に備えられている対応データテーブルの内容を更新することによって、容易に対応することができる。更に、食品の種類や商品名毎に異なるアドレス情報を使用することによって、食品情報を記憶体１２に記憶させる必要が無くなり、記憶体１２のコスト削減を図ることができる。
【００６２】
以上、本発明の好適な実施の形態について、添付図面を参照しながら説明したが、本発明はかかる構成に限定されない。特許請求の範囲に記載された技術的思想の範疇において、当業者であれば、各種の変更例及び修正例に想到し得るものであり、それら変更例及び修正例についても本発明の技術的範囲に属するものと了解される。
【００６３】
【発明の効果】
以上説明したように、本願の請求項１の発明の食品のパッケージにおいては、以上のような手段を講じることにより、消費者は、複雑なカロリー計算を自分で行わなくても、食品に関するカロリー情報を得ることができる。
【００６４】
また、本願の請求項２の発明の食品のパッケージにおいては、以上のような手段を講じることにより、消費者は、レシピ提供ホームページから、様々なレシピを取得することができる。また、提供側としては、レシピ提供ホームページに新たなレシピを追加して格納させることにより、常に最新のレシピを提供することができる。
【００６５】
本願の請求項３の発明の食品のパッケージにおいては、以上のような手段を講じることにより、消費者は、パッケージ自体に備えられたバーコードまたはＩＣタグに記憶されたアクセス情報を読み取ることによって、所定のホームページにアクセスし、カロリー情報やレシピを得ることができる。
【００６６】
本願の請求項４の発明のカロリー計算方法においては、以上のような手段を講じることにより、消費者は、複雑なカロリー計算を自分で行わなくても、食品に関するカロリー情報を、カロリー計算ホームページから得ることができる。また、カロリー計算ホームページへのアクセスは、パッケージに備えられた記憶体に記憶されたアクセス情報を読み取ることによって確実に行うことができる。
【００６７】
本願の請求項５の発明のカロリー計算システムにおいては、以上のような手段を講じることにより、消費者は、複雑なカロリー計算を自分で行わなくても、食品に関するカロリー情報を、カロリー計算ホームページから得ることができる。また、カロリー計算ホームページへのアクセスは、パッケージに備えられた記憶体に記憶されたアクセス情報を読み取ることによって確実に行うことができる。
【００６８】
本願の請求項６の発明のカロリー計算システムにおいては、以上のような手段を講じることにより、消費者は、複雑なカロリー計算を自分で行わなくても、食品に関するカロリー情報を、カロリー計算ホームページから得ることができる。また、カロリー計算ホームページへのアクセスは、パッケージに備えられたバーコードまたはＩＣタグに記憶されたアクセス情報を読み取ることによって確実に行うことができる。
【００６９】
そして、本願の請求項７の発明のレシピ提供方法においては、以上のような手段を講じることにより、消費者は、消費者は、レシピ提供ホームページから、様々なレシピを取得することができる。また、提供側は、レシピ提供ホームページに新たなレシピを追加して格納させることにより、常に最新のレシピを提供することができる。
【００７０】
更に、本願の請求項８の発明のレシピ提供システムにおいては、以上のような手段を講じることにより、消費者は、消費者は、レシピ提供ホームページから、様々なレシピを取得することができる。また、提供側は、レシピ提供ホームページに新たなレシピを追加して格納させることにより、常に最新のレシピを提供することができる。
【００７１】
更にまた、本願の請求項９の発明のレシピ提供システムにおいては、以上のような手段を講じることにより、消費者は、消費者は、レシピ提供ホームページから、様々なレシピを取得することができる。また、提供側は、レシピ提供ホームページに新たなレシピを追加して格納させることにより、常に最新のレシピを提供することができる。また、レシピ提供ホームページへのアクセスは、パッケージに備えられたバーコードまたはＩＣタグに記憶されたアクセス情報を読み取ることによって確実に行うことができる。
【図面の簡単な説明】
【図１】本発明の実施の形態に係るレシピ提供方法およびカロリー計算方法を適用したレシピ提供・カロリー計算システムの一例を示す概念図
【図２】本発明の実施の形態に係る食品のパッケージの一例を示す概念図
【図３】対応データテーブルの一例を示すデータ構成図
【図４】レシピ選択テーブルの一例を示す模式図
【図５】携帯電話の画面から表示されたレシピの一例を示す模式図
【図６】カロリーテーブルの一例を示す模式図
【図７】同実施の形態に係るレシピ提供方法およびカロリー計算方法を適用したレシピ提供・カロリー計算システムの動作を示すフローチャート
【符号の説明】
１０ａ…パッケージ
１０ｂ…袋
１０ｃ…包装紙
１０ｄ…パック
１２…記憶体
１６…インターネット
１８…変換サーバ
２０…レシピ提供・カロリー計算サーバ
２２…携帯電話
２４…リーダ
２６…レシピデータベース
２７…カロリー計算用データベース
【図１】
2004054609.tif 000003
【図２】
2004054609.tif 000004
【図３】
2004054609.tif 000005
【図４】
2004054609.tif 000006
【図５】
2004054609.tif 000007
【図６】
2004054609.tif 000008
【図７】
2004054609.tif 000009